(57)【要約】【課題】部品点数の増加を招くことなく、時刻情報が修正されているか否かを容易に判別して、正しい時刻に生体情報を対応づける。【解決手段】ユーザの生体情報を計測し、前記生体情報に時刻情報を関連付けて処理を行う計測装置１０において、時刻修正が所定のタイミングでなされなかった場合には、時刻表示の禁止、生体情報を時間情報に関連付けた保存禁止、生体情報の計測禁止あるいは生体情報の自動計測禁止のいずれかを行う。【選択図】図１
2007209678.tif 000002
【特許請求の範囲】
【請求項１】
ユーザの生体情報を計測し、前記生体情報に時刻情報を関連付けて処理を行う計測装置において、
時刻を表示する時刻表示部と、
時刻修正を行うための時刻修正部と、
前記時刻情報に対応する時刻修正が所定のタイミングでなされたか否かを判別する時刻修正判別部と、
前記所定のタイミングで前記時刻情報に対応する時刻修正がなされなかった場合に前記時刻表示部における時刻表示を禁止する表示禁止部と、
を備えたことを特徴とする計測装置。
【請求項２】
ユーザの生体情報を計測し、時刻情報に関連付けて保存する計測装置において、
前記時刻情報に対応する時刻修正が所定のタイミングでなされたか否かを判別する時刻修正判別部と、
前記所定のタイミングで前記時刻情報に対応する時刻修正がなされなかった場合に、前記生体情報と前記時刻情報とを関連付けて保存することを禁止する保存禁止部と、
を備えたことを特徴とする計測装置。
【請求項３】
請求項２記載の計測装置において、
前記所定のタイミングで前記時刻情報に対応する時刻修正がなされなかった場合には、前記生体情報および測定開始時刻からの経過時間を関連付けて保存する情報保存部を備えたことを特徴とする計測装置。
【請求項４】
請求項２記載の計測装置において、
前記所定のタイミングで前記時刻情報に対応する時刻修正がなされなかった場合には、前記生体情報の保存を禁止する生体情報保存禁止部を備えたことを特徴とする計測装置。
【請求項５】
ユーザの生体情報を計測し、時刻情報に関連付けて保存する計測装置において、
所定のタイミングで前記時刻情報に対応する時刻修正がなされたか否かを判別する時刻修正判別部と、
前記所定のタイミングで前記時刻情報に対応する時刻修正がなされなかった場合に、前記生体情報の計測を禁止する計測禁止部と、
を備えたことを特徴とする計測装置。
【請求項６】
ユーザの生体情報を計測し、前記生体情報に時刻情報を関連付けて処理を行う計測装置において、
予め指定した自動計測タイミングで生体情報を計測する自動計測部と、
前記時刻情報に対応する時刻修正が所定のタイミングでなされたか否かを判別する時刻修正判別部と、
前記所定のタイミングで前記時刻情報に対応する時刻修正がなされなかった場合に、自動計測部における自動計測動作を禁止する自動計測禁止部と、
を備えたことを特徴とする計測装置。
【請求項７】
時刻を表示する時刻表示部と、時刻修正を行うための時刻修正部と、を備え、ユーザの生体情報を計測し、前記生体情報に時刻情報を関連付けて処理を行う計測装置の制御方法において、
前記時刻情報に対応する時刻修正が所定のタイミングでなされたか否かを判別する時刻修正判別過程と、
前記所定のタイミングで前記時刻情報に対応する時刻修正がなされなかった場合に前記時刻表示部における時刻表示を禁止する表示禁止過程と、
を備えたことを特徴とする計測装置の制御方法。
【請求項８】
ユーザの生体情報を計測し、時刻情報に関連付けて保存する計測装置の制御方法において、
前記時刻情報に対応する時刻修正が所定のタイミングでなされたか否かを判別する時刻修正判別過程と、
前記所定のタイミングで前記時刻情報に対応する時刻修正がなされなかった場合に、前記生体情報と前記時刻情報とを関連付けて保存することを禁止する保存禁止過程と、
を備えたことを特徴とする計測装置の制御方法。
【請求項９】
ユーザの生体情報を計測し、前記生体情報に時刻情報を関連付けて処理を行う計測装置において、
予め指定した自動計測タイミングで生体情報を計測する自動計測過程と、
所定のタイミングで前記時刻情報に対応する時刻修正がなされたか否かを判別する時刻修正判別過程と、
前記所定のタイミングで前記時刻情報に対応する時刻修正がなされなかった場合に、自動計測過程における自動計測動作を禁止する自動計測禁止過程と、
を備えたことを特徴とする計測装置の制御方法。
【請求項１０】
時刻を表示する時刻表示部と、時刻修正を行うための時刻修正部と、を備え、ユーザの生体情報を計測し、前記生体情報に時刻情報を関連付けて処理を行う計測装置をコンピュータにより制御するための制御プログラムにおいて、
前記時刻情報に対応する時刻修正が所定のタイミングでなされたか否かを判別させ、
前記所定のタイミングで前記時刻情報に対応する時刻修正がなされなかった場合に前記時刻表示部における時刻表示を禁止させる、
ことを特徴とする制御プログラム。
【請求項１１】
ユーザの生体情報を計測し、時刻情報に関連付けて保存する計測装置をコンピュータにより制御するための制御プログラムにおいて、
前記時刻情報に対応する時刻修正が所定のタイミングでなされたか否かを判別させ、
前記所定のタイミングで前記時刻情報に対応する時刻修正がなされなかった場合に、前記生体情報と前記時刻情報とを関連付けて保存することを禁止させる、
を備えたことを特徴とする制御プログラム
【請求項１２】
ユーザの生体情報を計測し、前記生体情報に時刻情報を関連付けて処理を行う計測装置をコンピュータにより制御するための制御プログラムにおいて、
予め指定した自動計測タイミングで生体情報を計測させるに際し、所定のタイミングで前記時刻情報に対応する時刻修正がなされたか否かを判別させ、
前記所定のタイミングで前記時刻情報に対応する時刻修正がなされなかった場合に、自動計測過程における自動計測動作を禁止させる、
ことを特徴とする制御プログラム。
【発明の詳細な説明】
【技術分野】
【０００１】
本発明は、計測装置、計測装置の制御方法および制御プログラムに係り、特に ユーザの身体に装着されてユーザの日常生活において脈拍などの生体情報を計測する計測装置、計測装置の制御方法および制御プログラムに関する。
【背景技術】
【０００２】
脈拍数や酸素飽和度（ＳＰＯ2）等の生体情報を計測する生体情報計測装置において、生体情報は時間と共に刻々と変化していくため、生体情報を保存させる場合には、正確な時刻情報を保存することが非常に重要である。このような生体情報計測装置としては、例えば、特許文献１に記載されているようなものがある。
近年、機器の高機能化が進み、消費電力の比較的大きい機器であっても、一次電池あるいは二次電池を使用したバッテリー駆動の製品が増加している。
【特許文献１】特開２００４−２９８３２０号公報
【発明の開示】
【発明が解決しようとする課題】
【０００３】
特に頻繁に計測を行うような状況では、短い時間でバッテリー電圧が低下してしまう可能性が有り、このような場合には、時刻情報がリセットされ、時刻修正を行わないと正しい時刻を表示し、あるいは、保存することはできない状況が生じる可能性がある。
しかしながら、特許文献１記載の生体情報計測装置においては、生体情報の保存時に正確な時刻情報を保存できなければ、データの信頼性が低下し、保存した生体情報の有用性が低下し、あるいは、全く生体情報が意味をなさないばかりか、逆に間違った判断、結論を導き出してしまう虞があった。
【０００４】
具体的には、１１時に電池交換を行ったとすると時刻情報がリセットされてしまい、例えば、時刻が０時になってしまった場合には、実際の時刻で考えれば、１３時に生体情報データを取得したのに、記録上は、夜中の２時にデータを取得したこととなり、全く意味をなさないデータとなってしまう可能性がある。
また、所定の時刻になると自動的に生体情報を計測するような生体情報計測装置においては、本来測定しようとした時刻とは異なる時刻の生体情報を計測することともなる。例えば、朝８時に食事を摂るように決めて、食事前後の決まった時間に血糖値を自動的に計測するような生体情報計測装置を想定した場合、計測時刻がずれていると全く意味のない生体情報データを臆することとなってしまう。
【０００５】
また、何度か計測を行った後に時刻情報を修正した場合、あとでデータを解析する際にいつまでのデータが正しい時刻を保存しているのかが分からなくなってしまい、時刻修正した後のデータについても使用できなくなってしまうという不具合が生じる。
これらを解決すべく、主電源として使用しているバッテリーの電圧が低下しても、時刻情報を残せるように、これらの機器においてリアルタイムクロックと予備バッテリーを設ける方法や、常に正しい時刻に合わせるように、いわゆる電波時計を内蔵する方法なども提案されている。
しかしながら、電波時計を内蔵する方法では、電波が受信できないなどの理由で必ずしも時刻修正がなされた状態で用いられているとは限らないという問題点が生じる。また、いずれの方法においても、装置を構成する部品点数が増加したり、制御が複雑化するため、コストの増加や、装置の大型化につながってしまうという問題がある。
【０００６】
そこで、本発明の目的は、部品点数の増加を招くことなく、時刻情報が修正されているか否かを容易に判別して、正しい時刻に生体情報を対応づけることが可能な計測装置、計測装置の制御方法および制御プログラムを提供することにある。
【課題を解決するための手段】
【０００７】
上記課題を解決するため、ユーザの生体情報を計測し、前記生体情報に時刻情報を関連付けて処理を行う計測装置において、時刻を表示する時刻表示部と、時刻修正を行うための時刻修正部と、前記時刻情報に対応する時刻修正が所定のタイミングでなされたか否かを判別する時刻修正判別部と、前記所定のタイミングで前記時刻情報に対応する時刻修正がなされなかった場合に前記時刻表示部における時刻表示を禁止する表示禁止部と、を備えたことを特徴としている。
上記構成によれば、時刻修正部は、ユーザに時刻修正を行わせる。
これと並行して、時刻修正判別部は、時刻情報に対応する時刻修正が所定のタイミングでなされたか否かを判別し、表示禁止部は、所定のタイミングで時刻情報に対応する時刻修正がなされなかった場合に時刻表示部における時刻表示を禁止する。
【０００８】
また、ユーザの生体情報を計測し、時刻情報に関連付けて保存する計測装置において、前記時刻情報に対応する時刻修正が所定のタイミングでなされたか否かを判別する時刻修正判別部と、前記所定のタイミングで前記時刻情報に対応する時刻修正がなされなかった場合に、前記生体情報と前記時刻情報とを関連付けて保存することを禁止する保存禁止部と、を備えたことを特徴としている。
上記構成によれば、時刻修正判別部は、時刻情報に対応する時刻修正が所定のタイミングでなされたか否かを判別する。
この判別に基づいて保存禁止部は、時刻情報に対応する時刻修正が所定のタイミングでなされなかった場合に、生体情報と時刻情報とを関連付けて保存することを禁止する。
【０００９】
この場合において、前記所定のタイミングで前記時刻情報に対応する時刻修正がなされなかった場合には、前記生体情報および測定開始時刻からの経過時間を関連付けて保存する情報保存部を備えるようにしてもよい。
また、前記所定のタイミングで前記時刻情報に対応する時刻修正がなされなかった場合には、前記生体情報の保存を禁止する生体情報保存禁止部を備えるようにしてもよい。
【００１０】
また、ユーザの生体情報を計測し、時刻情報に関連付けて保存する計測装置において、前記時刻情報に対応する時刻修正が所定のタイミングでなされたか否かを判別する時刻修正判別部と、前記所定のタイミングで前記時刻情報に対応する時刻修正がなされなかった場合に、前記生体情報の計測を禁止する計測禁止部と、を備えたことを特徴としている。
上記構成によれば、時刻修正判別部は、時刻情報に対応する時刻修正が所定のタイミングでなされたか否かを判別し、計測禁止部は、所定のタイミングで時刻情報に対応する時刻修正がなされなかった場合に、生体情報の計測を禁止する。
【００１１】
また、ユーザの生体情報を計測し、前記生体情報に時刻情報を関連付けて処理を行う計測装置において、予め指定した自動計測タイミングで生体情報を計測する自動計測部と、前記時刻情報に対応する時刻修正が所定のタイミングでなされたか否かを判別する時刻修正判別部と、前記所定のタイミングで前記時刻情報に対応する時刻修正がなされなかった場合に、自動計測部における自動計測動作を禁止する自動計測禁止部と、を備えたことを特徴としている。
上記構成によれば、時刻修正判別部は、時刻情報に対応する時刻修正が所定のタイミングでなされたか否かを判別し、自動計測禁止部は、所定のタイミングで時刻情報に対応する時刻修正がなされなかった場合に、自動計測部における自動計測動作を禁止する。
【００１２】
また、時刻を表示する時刻表示部と、時刻修正を行うための時刻修正部と、を備え、ユーザの生体情報を計測し、前記生体情報に時刻情報を関連付けて処理を行う計測装置の制御方法において、前記時刻情報に対応する時刻修正が所定のタイミングでなされたか否かを判別する時刻修正判別過程と、前記所定のタイミングで前記時刻情報に対応する時刻修正がなされなかった場合に前記時刻表示部における時刻表示を禁止する表示禁止過程と、を備えたことを特徴としている。
また、ユーザの生体情報を計測し、時刻情報に関連付けて保存する計測装置の制御方法において、前記時刻情報に対応する時刻修正が所定のタイミングでなされたか否かを判別する時刻修正判別過程と、前記所定のタイミングで前記時刻情報に対応する時刻修正がなされなかった場合に、前記生体情報と前記時刻情報とを関連付けて保存することを禁止する保存禁止過程と、を備えたことを特徴としている。
また、ユーザの生体情報を計測し、前記生体情報に時刻情報を関連付けて処理を行う計測装置において、予め指定した自動計測タイミングで生体情報を計測する自動計測過程と、所定のタイミングで前記時刻情報に対応する時刻修正がなされたか否かを判別する時刻修正判別過程と、前記所定のタイミングで前記時刻情報に対応する時刻修正がなされなかった場合に、自動計測過程における自動計測動作を禁止する自動計測禁止過程と、を備えたことを特徴としている。
【００１３】
また、時刻を表示する時刻表示部と、時刻修正を行うための時刻修正部と、を備え、ユーザの生体情報を計測し、前記生体情報に時刻情報を関連付けて処理を行う計測装置をコンピュータにより制御するための制御プログラムにおいて、前記時刻情報に対応する時刻修正が所定のタイミングでなされたか否かを判別させ、前記所定のタイミングで前記時刻情報に対応する時刻修正がなされなかった場合に前記時刻表示部における時刻表示を禁止させる、ことを特徴としている。
また、ユーザの生体情報を計測し、時刻情報に関連付けて保存する計測装置をコンピュータにより制御するための制御プログラムにおいて、前記時刻情報に対応する時刻修正が所定のタイミングでなされたか否かを判別させ、前記所定のタイミングで前記時刻情報に対応する時刻修正がなされなかった場合に、前記生体情報と前記時刻情報とを関連付けて保存することを禁止させることを特徴としている。
また、ユーザの生体情報を計測し、前記生体情報に時刻情報を関連付けて処理を行う計測装置をコンピュータにより制御するための制御プログラムにおいて、予め指定した自動計測タイミングで生体情報を計測させるに際し、所定のタイミングで前記時刻情報に対応する時刻修正がなされたか否かを判別させ、前記所定のタイミングで前記時刻情報に対応する時刻修正がなされなかった場合に、自動計測過程における自動計測動作を禁止させることを特徴としている。
【発明の効果】
【００１４】
本発明によれば、部品点数の増加を招くことなく、時刻情報が修正されているか否かを容易に判別して、正しい時刻に生体情報を対応づけできる。
【発明を実施するための最良の形態】
【００１５】
次に本発明の好適な実施の形態について図面を参照して説明する。
（１）原理説明
まず、本発明の原理について図面を参照して説明する。
図１は、本発明の原理説明を行うための概要構成ブロック図である。
計測装置１０は、大別すると、計測装置１０全体を制御するとともに、時刻情報の管理を行う制御部１１と、生体情報を検出して検出信号を出力する生体情報検出部１２と、検出信号から計測対象のパラメータを算出し、演算処理を施す演算部１３と、時刻情報・生体情報などを表示する表示部１４と、生体情報を時刻情報とともに記憶する記憶部１５と、ユーザに時刻修正を行わせるための時刻設定部１６と、時刻修正が所定のタイミングにおいてなされたか否かを判定する時刻修正判定部１７と、を備えている。
【００１６】
制御部１１は、時刻情報の表示、記憶あるいは自動計測を行うべきか否かを判定する時刻情報判定部１８を備えている。
図２は、時刻情報判定部の概要構成ブロック図である。
時刻情報判定部１８は、時刻修正が正常になされたか否かに基づいて時刻表示を行うべきか否かを判定する時刻表示判定部１８Ａと、時刻修正が正常になされたか否かに基づいて時刻情報を生体情報に関連付けて記憶すべきか否かを判定する時刻情報記憶判定部１８Ｂと、時刻修正が正常になされたか否かに基づいて自動計測を行うべきか否かを判定する自動計測判定部１８Ｃと、を備えている。
【００１７】
この場合において、計測装置１０において、電池交換を行ったり、電池電圧が低下した状態から充電などを行ったりして電源が復帰して起動（電源投入）された場合には、計測装置１０が起動（電源投入）されていない間に時刻情報が正しくなくなっている可能性があるため、制御部１１は、時刻情報をリセットする。
その後、時刻修正判定部１７は時刻情報がリセットされてから、時刻設定部１６の操作状態を常に監視し、時刻情報の書換えのための指示が入力された場合には、制御部１１に通知することとなる。
これにより、制御部１１の時刻情報判定部１８は、時刻修正判定部１７の判定結果を常に把握することが可能となる。
一方、一度時刻情報が書き換えられた後は、時刻情報が正しく設定されたと考えられるので、時刻修正判定部１７は、監視を中止することとなる。
まず時刻表示動作について説明する。
この場合において、計測装置１０が起動された（電源投入された）場合には、時刻修正判定部１７は、時刻設定部１６の操作状態を監視し、時刻修正がなされたか否かを判定し、判定結果を制御部１１に通知する。
表示部１４は、計測が開始されていない場合には、時刻情報を表示し、計測が開始された場合には、計測した生体情報および時刻情報を表示することとなる。
【００１８】
また、制御部１１の時刻情報判定部１８において、時刻表示判定部１８Ａは、時刻修正判定部１７の判定結果に基づき時刻修正がなされなかった場合には、時刻表示を行わないべきであると判定し、この結果、制御部１１は、表示部１４に時刻表示を行わない。従って、ユーザは表示部１４に時刻表示がなされていないことを認識することにより、いまだ時刻修正がなされていないので、ユーザに対して時刻修正を確実に促すことができる。
【００１９】
次に時刻情報記憶動作について説明する。
この場合において、計測装置１０が起動された（電源投入された）場合には、時刻修正判定部１７は、時刻設定部１６の操作状態を監視し、時刻修正がなされたか否かを判定し、判定結果を制御部１１に通知する。
計測開始となった場合には、生体情報を検出して検出信号を演算部１３に出力し、演算部１３は、入力された検出信号から計測対象のパラメータを算出し、演算処理を施して制御部１１に出力する。
これと並行して、制御部１１の時刻情報判定部１８において、時刻情報記憶判定部１８Ｂは、時刻修正判定部１７の判定結果に基づき時刻修正が正常になされた場合には、計測した生体情報に関連付けて時刻情報を記憶部１５に記憶させるべきであると判定し、この結果、制御部１１は、記憶部１５に時刻情報とともに、生体情報を記憶させることとなる。したがって、正確な時刻情報とともに生体情報を記憶させることができる。
【００２０】
また、制御部１１の時刻情報判定部１８において、時刻情報記憶判定部１８Ｂは、時刻修正判定部１７の判定結果に基づき時刻修正がなされなかった場合には、計測した生体情報に関連付けて時刻情報を記憶部１５に記憶させるべきではないと判定し、この結果、制御部１１は、記憶部１５に時刻情報に関連付けずに生体情報を記憶させることとなる。
次に自動計測動作について説明する。
この場合において、計測装置１０が起動された（電源投入された）場合には、時刻修正判定部１７は、時刻設定部１６の操作状態を監視し、時刻修正がなされたか否かを判定し、判定結果を制御部１１に通知する。
【００２１】
制御部１１の時刻情報判定部１８において、自動計測判定部１８Ｃは、時刻修正判定部１７の判定結果に基づき時刻修正が正常になされた場合には、所定の時刻情報に対応する時刻に生体情報検出部に生体情報を検出させて検出信号を演算部１３に出力させ、演算部１３に入力された検出信号から計測対象のパラメータを算出させ、演算処理を施させて制御部１１に出力させ、表示あるいは記憶を行わせることとなる。従って、正確な時刻に自動計測を行って生体情報を取得することが可能となる。
また、制御部１１の時刻情報判定部１８において、自動計測判定部１８Ｃは、時刻修正判定部１７の判定結果に基づき時刻修正がなされなかった場合には、自動計測を行うことなく処理を終了する。
以上の説明のように、本発明によれば、電源投入後に時刻修正が正常になされた場合にのみ、時刻表示、時刻情報記憶あるいは自動計測を行うこととなるので、部品点数の増加を招くことなく、時刻情報が修正されているか否かを容易に判別して、正しい時刻に生体情報を対応づけできる。
【００２２】
（２）実施形態
次に具体的な実施形態について説明する。
図３は、実施形態に係る生体情報を計測する計測装置の一例としての脈拍測定装置の装着状態の説明図である。
脈拍測定装置１０は、ユーザの腕１１に装着されて用いられ、装置本体（時計ケース）１０Ａと、装置本体１０Ａを腕に装着するためのリストバンド１０Ｂと、を備えている。
図４は、実施形態の脈拍測定装置の断面図である。
リストバンド１０Ｂを手首に巻きつけて脈拍測定装置１０を装着すると、装置本体１０Ａの裏面側が手首の甲に密着する。
そこで、装置本体１０Ａの裏面側には３軸（Ｘ軸、Ｙ軸、Ｚ軸）加速度センサとして構成される体動センサ２２および脈波センサ２３が設けられている。
図４に示すように、脈波センサ２３は、脈波の検出用光を射出するＬＥＤ２３Ａと、人体により反射された検出用光を受光するＰＤ（Photo Detector）２３Ｂと、ＬＥＤ２３ＡおよびＰＤ２３Ｂを保護するとともに、ＬＥＤ２３Ａの照射光、生体を介して得られる反射光を透過してＰＤ２３Ｂに入射させるための透明ガラス２３Ｃと、を備えている。ここで、透明ガラス２３Ｃは、装置本体１０Ａを構成する裏蓋２４により固定されている。
この脈波センサ２３の構成によれば、ＬＥＤ２３Ａからの光が透明ガラス２３Ｃを介して手首の甲に照射され、その反射光がフォトダイオード２３Ｂに受光されるようになっている。
【００２３】
装置本体１０Ａの表面側には、現在時刻や日付に加えて、脈波センサ２３の検出結果に基づく脈拍数ＨＲなどの生体情報も表示する液晶表示装置２５が設けられている。
また、装置本体１０Ａの内部には、メイン基板２６の上側にＣＰＵ等の各種ＩＣ回路が設けられており、これによってデータ処理回路２７が構成される。
また、メイン基板２６の裏面側には電池２８が設けられており、電池２８から体動センサ２２、脈波センサ２３、液晶表示装置２５およびメイン基板２６に電源が供給されるようになっている。
体動センサ２２および脈波センサ２３とメイン基板２６とは、ヒートシール２９によって接続されている。これにより、ヒートシール２９により形成される配線によって、メイン基板２６から電源が体動センサ２２および脈波センサ２３に供給される。
この結果、体動センサ２２からメイン基板２６に加速度検出信号が供給される用になっている。また、脈波センサ２３からメイン基板２６に脈波検出信号が供給されるようになっている。
データ処理回路２７は、加速度検出信号および脈波検出信号にＦＦＴ処理を施し、それらの処理結果を解析することにより、脈拍数ＨＲを算出している。なお、装置本体１０Ａの外側面には、図３に示すように、時刻合わせや表示モードの切換などを行うためのボタンスイッチ２０Ａ、２０Ｂ、２０Ｃ、２０Ｄ、２０Ｅが設けられている。
【００２４】
図５は、実施形態の脈拍測定装置の概要構成ブロック図である。
脈拍測定装置１０は、ＣＰＵ１３０を備えており、このＣＰＵ１３０は、当該脈波計１の各部の動作を制御する他、脈波センサ２３からの生体検出信号に基づく脈拍数演算処理等の各種演算処理を実行する制御・演算手段として機能する。
ＥＥＰＲＯＭ１３２は、不揮発性で書き換え可能なメモリであり、ＣＰＵ１３０によって実行される制御プログラムや各種データを記憶する。
ＲＡＭ１３４は、ＣＰＵ１３０のワークエリアとして用いられ、ＣＰＵ１３０による演算結果や各種データを一時的に記憶する。
【００２５】
クロック回路１３６は、所定周波数（例えば３２．７６８ｋＨｚ）のクロック信号を出力する発振回路１３６０と、発振回路１３６０からのクロック信号を分周して１Ｈｚのクロック信号をＣＰＵ１３０に出力する分周回路１３６１とを備え、ＣＰＵ１３０は、１Ｈｚのクロック信号に基づき計時処理を行う。
入力部１３８は、上述したボタンスイッチボタンスイッチ２０Ａ、２０Ｂ、２０Ｃ、２０Ｄ、２０Ｅに対応するものであり、使用者の各ボタン操作に応じた信号をＣＰＵ１３０に出力する。
乗算器１４０は、ＣＰＵ１３０において必要とされる演算処理のうち、乗算処理をハードウェア的に高速に処理する。
液晶表示部１０８は、ＣＰＵ１３０の制御に従って画面を表示する。
【００２６】
脈波信号増幅回路１２０は、脈波センサ２３の出力信号を増幅してＡ／Ｄ変換回路１２２および脈波波形成形回路１２３に出力する。
体動信号増幅回路１２１は、体動センサ２２の出力信号を増幅してＡ／Ｄ変換回路１２２および体動波形成形回路１２４に出力する。
Ａ／Ｄ変換回路１２２は、ＣＰＵ１３０の制御の下、脈波センサ２３又は体動センサ２２の出力信号をアナログ／ディジタル変換してＣＰＵ１３０のディジタル入力端子に出力する。
脈波波形成形回路１２３は、脈波センサ２３の出力信号の波形成形を行ってＣＰＵ１３０のアナログ入力端子に出力する。
体動波形成形回路１２４は、体動センサ２２の出力信号の波形成形を行ってＣＰＵ１３０のアナログ入力端子に出力する。
ＣＰＵ１３０は、Ａ／Ｄ変換回路１２２を介して入力した生体検出データ（脈波データおよび体動データ）に対して、ＦＦＴ（高速フーリエ変換）処理を実行することにより脈波信号および体動信号の周波数成分を算出し、脈波の高調波成分を抽出し、その周波数から脈拍数を算出することとなる。なお、この脈拍数の具体的な算出方法は、従来と同様であるため、詳細な説明は省略する。
【００２７】
次に実施形態の動作を説明する。
図６は、時刻修正フラグ設定処理の処理フローチャートである。
この時刻修正フラグ設定処理は、電源投入時に処理を開始し、ユーザのマニュアル処理あるいは自動処理により時刻修正がなされるまで継続される。
電源が投入されると、ＣＰＵ１３０は、時刻情報をリセットする（ステップＳ１１）。続いてＣＰＵ１３０は、時刻修正フラグを倒す（オフにする）（ステップＳ１２）。
【００２８】
次にＣＰＵ１３０は、時刻情報が書き換えられたか否か、すなわち、ユーザのマニュアル処理あるいは自動処理により時刻修正がなされたか否かを判別する（ステップＳ１３）。
この場合において、時刻情報の実際の書き換えはＣＰＵ１３０が行うのが一般的であり、この場合には、判定は容易であるが、時刻情報をＣＰＵ１３０で管理していない場合には、リアルタイムクロックＩＣなどから割込信号の入力があったか否かにも基づいて判定することとなる。
ステップＳ１３の判別において、時刻情報を書き換えていない場合には、すなわち、いまだユーザのマニュアル処理あるいは自動処理により時刻修正がなされていない場合には（ステップＳ１３；Ｎｏ）、ＣＰＵ１３０は待機状態となる。
一方、ステップＳ１３の判別において、時刻情報を書き換えた場合、すなわち、ユーザのマニュアル処理あるいは自動処理により時刻修正がなされた場合には、ＣＰＵ１３０は、時刻修正を監視する必要がなくなるので、時刻修正フラグを立て（オンにし）（ステップＳ１４）、時刻修正フラグ設定処理を終了する。
【００２９】
次に実際の生体情報計測時の処理について説明する。
図７は、生体情報計測時の処理フローチャートである。
まずＣＰＵ１３０は、生体情報の計測が開始されたか否かを判別する（ステップＳ２１）。
ステップＳ２１の判別において、生体情報の計測がいまだ開始されていない場合には（ステップＳ２１；Ｎｏ）、待機状態となる。
ステップＳ２１の判別において、生体情報の計測が開始された場合には（ステップＳ２１；Ｙｅｓ）、ＣＰＵ１３０は、時刻修正フラグがオン状態であるか否かを判別する（ステップＳ２２）。すなわち、時刻修正フラグ設定処理（図６参照）において、ユーザのマニュアル処理あるいは自動処理により時刻修正がなされたと判定されたか否かを判別する。
ステップＳ２２の判別において、時刻修正フラグがオン状態である場合、すなわち、電源投入後にユーザのマニュアル処理あるいは自動処理により時刻修正がなされた場合には（ステップＳ２２；Ｙｅｓ）、得られる時刻情報は正確であると考えられるので、ピッチ、脈拍数などの生体情報と対応する時刻情報を関連付けて保存することとなる（ステップＳ２３）。
【００３０】
図８は、ピッチと脈拍数を時刻情報に関連付けて保存する場合の例の説明図である。
図８に示すように、例えば、データＮｏ．＝１の生体情報は、
計測時刻＝１２：０６：５０  ピッチ＝１２０  脈拍数７０
のように保存される。なお、本例では、計測時刻として、絶対時刻を記憶するように構成しているが、計測時間間隔が一定であるような場合には、開始時刻のみを記憶するように構成することも可能である。
次にＣＰＵ１３０は、計測が終了したか否かを判別し（ステップＳ２５）、計測が終了していない場合には（ステップＳ２５；Ｎｏ）、処理を再びステップＳ２２に移行して、以下、同様の処理を行う。
【００３１】
ステップＳ２５の判別において、計測が終了した場合には、処理を終了する。
一方、ステップＳ２２の判別において、時刻修正フラグがオフ状態である場合、すなわち、電源投入後にいまだユーザのマニュアル処理あるいは自動処理により時刻修正がなされていない場合には（ステップＳ２２；Ｎｏ）、得られる時刻情報は正確ではない可能性があるので、ピッチ、脈拍数などの生体情報と時刻情報ではなく、測定開始からの経過時間を関連付けて保存することとなる（ステップＳ２４）。
次にＣＰＵ１３０は、計測が終了したか否かを判別し（ステップＳ２５）、計測が終了していない場合には（ステップＳ２５；Ｎｏ）、処理を再びステップＳ２２に移行して、以下、同様の処理を行う。
ステップＳ２５の判別において、計測が終了した場合には、処理を終了する。
従って、不正確な時刻情報に関連付けて、生体情報が保存されることがなくなり、生体情報の判断に際し、誤って情報が用いられることがなく、有効に情報を利用することができる。
【００３２】
次に時刻表示時の処理について説明する。
図９は、時刻表示時の処理フローチャートである。
まずＣＰＵ１３０は、時刻修正フラグがオン状態であるか否かを判別する（ステップＳ３１）。
ステップＳ３１の判別において、時刻修正フラグがオン状態である場合、すなわち、電源投入後に時刻修正がなされた場合には（ステップＳ３１；Ｙｅｓ）、得られる時刻情報は正確であると考えられるので、ＣＰＵ１３０は、液晶表示部１０８に時刻を表示して（ステップＳ３２）、処理を終了する。
【００３３】
ステップＳ３１の判別において、時刻修正フラグがオフ状態である場合、すなわち、電源投入後にいまだ時刻修正がなされていない場合には（ステップＳ３１；Ｎｏ）、得られる時刻情報は正確ではない可能性があるので、ＣＰＵ１３０は、液晶表示部１０８に時刻を表示することなく（ステップＳ３３）、処理を終了する。
この結果、液晶表示部１０に時刻（時刻情報）が表示されていないことをもって、ユーザに、いまだ時刻修正を行っていないことを容易に把握させることができ、時刻修正を行うことを促すことができる。
【００３４】
図１０は、自動計測時の処理フローチャートである。
まず、ＣＰＵ１３０は、生体情報の自動計測の時刻に至ったか否かを判別する（ステップＳ４１）。
ステップＳ４１の判別において、生体情報の自動計測の時刻に至っていない場合には（ステップＳ４１；Ｎｏ）、待機状態となる。
ステップＳ４１の判別において、生体情報の自動計測の時刻に至った場合には（ステップＳ４１；Ｙｅｓ）、ＣＰＵ１３０は、時刻修正フラグがオン状態であるか否かを判別する（ステップＳ４２）。
【００３５】
ステップＳ４２の判別において、時刻修正フラグがオン状態である場合、すなわち、電源投入後に時刻修正がなされた場合には（ステップＳ４２；Ｙｅｓ）、得られる時刻情報は正確であると考えられるので、自動計測を開始し、予め定められた生体情報（例えば、ピッチ、脈拍数、ＳＰＯ2 など）の計測を開始し、必要に応じて生体情報と対応する時刻情報を関連付けて保存することとなる（ステップＳ４３）。
一方、ステップＳ４２の判別において、時刻修正フラグがオフ状態である場合、すなわち、電源投入後にいまだ時刻修正がなされていない場合には（ステップ４２；Ｎｏ）、得られる時刻情報は正確ではない可能性があるので、生体情報の自動計測を開始することなく処理を終了することとなる。
従って、不正確な時刻情報に基づいて自動計測が開始されることがなく、無意味な生体情報の収集がなされることはなく、収集された生体情報については有効に情報を利用することができる。
【００３６】
以上の説明のように、本実施形態によれば、時刻表示を行わないことにより、ユーザに時刻修正がなされていないことを認識させ、時刻修正を促すことができるとともに、時刻修正がなされた場合には、時刻情報と関連づけて生体情報を収集し、あるいは、自動的に生体情報の計測が開始されるので、収集された生体情報の信頼性を向上させることができる。
【００３７】
以上の説明においては、生体情報として運動量の時間変化などのように、時刻が分からないと重要性が低くなってしまうような情報については、時刻修正がなされていない場合には、計測モードに移行しない、あるいは、移行できない旨を告知するように構成することも可能である。
【００３８】
以上の説明においては、時刻修正が未だ行われていない場合には、時刻表示を禁止し、時刻表示を行わないことで、ユーザに時刻修正を促す構成を採っていたが、これに代えてあるいはこれに加えて音、光などにより時刻が修正されていない旨をユーザに告知するように構成することも可能である。
【００３９】
以上の説明においては、制御用プログラムがＲＯＭ内にあらかじめ記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。
【図面の簡単な説明】
【００４０】
【図１】本発明の原理説明を行うための概要構成ブロック図である。
【図２】時刻情報判定部の概要構成ブロック図である。
【図３】実施形態に係る生体情報を計測する計測装置の一例としての脈拍測定装置の外観構成を、その使用の態様と共に示す図である。
【図４】実施形態の脈拍測定装置の断面図である。
【図５】脈拍測定装置の機能的構成を示すブロック図である。
【図６】時刻修正フラグ設定処理の処理フローチャートである。
【図７】生体情報計測時の処理フローチャートである。
【図８】ピッチと脈拍数を時刻情報に関連付けて保存する場合の例の説明図である。
【図９】時刻表示時の処理フローチャートである。
【図１０】自動計測時の処理フローチャートである。
【符号の説明】
【００４１】
１０…計測装置（脈拍測定装置）、１１…制御部、１２…生体情報検出部、１３…演算部、１４…表示部、１５…記憶部、１６…時刻設定部、１７…時刻修正判定部、１８…時刻情報判定部、１８Ａ…時刻表示判定部、１８Ｂ…時刻情報記憶判定部、１８Ｃ…自動計測判定部、２２…体動センサ、２３…脈波センサ、１０８…液晶表示部、１２０…脈波信号増幅回路、１２１…体動信号増幅回路、１２２…Ａ／Ｄ変換回路、１２３…脈波整形回路、１２４…体動整形回路、１３０…ＣＰＵ、１３２…ＲＯＭ、１３４…ＲＡＭ、１３６…クロック回路、１３８…入力部、１４０…乗算器、１４２…時刻設定部。
【図１】
2007209678.tif 000003
【図２】
2007209678.tif 000004
【図３】
2007209678.tif 000005
【図４】
2007209678.tif 000006
【図５】
2007209678.tif 000007
【図６】
2007209678.tif 000008
【図７】
2007209678.tif 000009
【図８】
2007209678.tif 000010
【図９】
2007209678.tif 000011
【図１０】
2007209678.tif 000012